(57)【要約】      （修正有）【課題】レンズ装置とカメラ装置との間での信号伝送の方式をパラレル通信とシリアル通信とでマニュアル操作によって切替られるようにし、また、信号線の接続も同様に切替られるようにすることで、簡易な構成によりパラレル通信とシリアル通信の切替を可能にする。【解決手段】ＥＦＰレンズ１２は、レンズサポータ１６を介してＥＮＧカメラ１４に装着される。ＥＦレンズ１２とＥＮＧカメラ１４との間の信号線の接続は、レンズサポータ１６に設けられたＰ／Ｓ切替スイッチ１００によってパラレル通信用とシリアル通信用とで切り替えられるようになっている。一方、ＥＦＰレンズ１２に設けられたＰ／Ｓ切替スイッチ１０２は、ＥＦＰレンズ１２がＥＮＧカメラ１４との間で行う信号伝送の方式をパラレル通信とシリアル通信のいずれかの方式に固定するスイッチであり、このＰ／Ｓ切替スイッチ１０２によって実際に行われる通信方式が決定され、その方式に固定される。【選択図】図２
2009089017.tif 000002
【特許請求の範囲】
【請求項１】
カメラ装置に対して本来装着不能な種類のレンズ装置をレンズサポータを介して装着すると共に、前記レンズ装置と前記カメラ装置との間でパラレル通信方式とシリアル通信方式のうちの所望の通信方式により信号伝送を行うことを可能にしたテレビカメラシステムにおいて、
前記レンズサポータにおいて前記レンズ装置と前記カメラ装置との間の信号線の接続をパラレル通信用の接続とシリアル通信用の接続とでマニュアル操作により切り替える接続切替手段と、
前記レンズ装置に設けられた指示手段であって、前記レンズ装置と前記カメラ装置との間での信号伝送をパラレル通信方式に固定するか、又は、シリアル通信方式に固定するかをマニュアル操作により指示する指示手段と、
前記指示手段により固定すると指示された通信方式により前記レンズ装置と前記カメラ装置との間での信号伝送を実施する信号伝送手段と、
を備えたことを特徴とするテレビカメラシステム。
【発明の詳細な説明】
【技術分野】
【０００１】
本発明はテレビカメラシステムに係り、特にテレビカメラ（カメラ装置）とテレビレンズ（レンズ装置）との間で信号伝送を行うための電気インターフェースを有するテレビカメラシステムに関する。
【背景技術】
【０００２】
テレビカメラには、主にスタジオ等で使用される大型のカメラ（ＥＦＰカメラ）と、主に取材などに携帯して使用される小型のカメラ（ＥＮＧカメラ）があり、ＥＦＰカメラには、箱型で大型のテレビレンズ（ＥＦＰレンズ）が装着され、ＥＮＧカメラには、小型のテレビレンズ（ＥＮＧレンズ）が装着されて使用される。
【０００３】
また、ＥＮＧカメラにＥＦＰレンズを装着して使用する場合も増えており、その場合には、ＥＮＧカメラとＥＦＰレンズとの間に機械的、電気的に双方を接続するためのアダプタ（レンズサポータ）が使用されている（例えば特許文献１参照）。
【０００４】
ところで、テレビカメラとテレビレンズとを電気的に接続するインターフェース（コネクタ）の仕樣として、ＥＦＰカメラとＥＦＰレンズとには、双方のマウント部に３６ピンのコネクタが設けられている。ＥＦＰカメラとＥＦＰレンズとの間では、そのコネクタを通じてパラレル通信又はシリアル通信による信号伝送が行われるようになっており、パラレル通信を行う場合には、コネクタの３６ピンの全てが所定の種類の信号伝送に使用され、シリアル通信を行う場合には、３６ピンのうちの２本のピンが主に使用されるようになっている。そのシリアル通信に使用される２本のピンは８番ピンと１８番ピンであり、これらの２本のピンは、パラレル通信とシリアル通信とで共用されている。
【０００５】
ＥＮＧカメラとＥＮＧレンズとでは、双方に１２ピンのコネクタが設けられており、ケーブルを通じてそれらのコネクタが接続されるようになっている。ＥＮＧカメラとＥＦＰレンズとの間においてもそれらのコネクタを通じてパラレル通信又はシリアル通信による信号伝送が行われるようになっており、パラレル通信を行う場合には、コネクタの１２ピンのうちの１１本のピンが所定の種類の信号伝送に使用され、シリアル通信を行う場合には、コネクタの１２ピンのうちの２本のピンが主に使用されるようになっている。シリアル通信に使用される２本のピンは１１番ピンと１２番ピンであり、これらの２本のピンのうち１２番ピンはシリアル通信専用に設けられたピンであり、１１番ピンがパラレル通信とシリアル通信とで共用され、１２番ピンがシリアル通信のみで使用されている。
【０００６】
このようなインターフェースの仕樣において、ＥＮＧカメラにレンズサポータを介してＥＦＰレンズを装着する場合に、従来では、ＥＦＰレンズとＥＮＧカメラとの間での信号伝送をパラレル通信のみに限定すると共に、レンズサポータにおいて、ＥＮＧカメラのコネクタのパラレル通信に使用するピン（１〜１１番ピン）と、そのパラレル通信に使用するピンに対応するＥＦＰレンズのコネクタのピン（４〜６、８、１２〜１８番ピン）とを接続するようにしていた。
【０００７】
また、特許文献２では、ＥＮＧカメラにレンズサポータを介してＥＦＰレンズを装着した場合にパラレル通信とシリアル通信の両方式での信号伝送に対応したものが開示されている。これによれば、ＥＮＧカメラがシリアル通信に対応しているか否かが自動で検出され、シリアル通信に対応している場合と対応していない場合とで、ＥＮＧカメラのコネクタとＥＦＰレンズのコネクタとの間での各ピンの接続がレンズサポータ内で自動で切り替えられるようになっている。ＥＮＧカメラがシリアル通信に対応していない場合には、パラレル通信による信号伝送を行うために、ＥＮＧカメラのコネクタのパラレル通信に使用するピンと、これに対応するＥＦＰレンズのコネクタのピンとが接続される。一方、ＥＮＧカメラがシリアル通信に対応している場合には、シリアル通信による信号伝送を行うために、ＥＦＰレンズのコネクタのシリアル通信に使用する２本のピンの接続先がＥＮＧカメラのコネクタのシリアル通信に使用する２本のピンに切り替えられるようになっている。
【特許文献１】特開平０７−２２５４２４号公報
【特許文献２】特許第３７９９１６９号公報
【発明の開示】
【発明が解決しようとする課題】
【０００８】
ところで、特許文献２のようにＥＮＧカメラがシリアル通信対応か否かを自動で判断し、ＥＦＰレンズとＥＮＧカメラの各コネクタ間での各ピンの接続（信号線の接続）を自動で切り替えるようにすると構成が複雑になる。そのため、ユーザがパラレル通信とシリアル通信のいずれで信号伝送を行うかを判断してＥＦＰレンズとＥＮＧカメラとの間での信号線の接続をレンズサポータ内においてパラレル通信用の接続態様とシリアル通信用の接続態様とで手動によって切り替えることができる構成にすることが好ましい。しかしながら、この場合に、ＥＦＰレンズにおいて、ＥＮＧカメラとの間でパラレル通信とシリアル通信のいずれの方式で信号伝送を行うかが特定できないという不具合が生じる。
【０００９】
本発明はこのような事情に鑑みてなされたもので、レンズ装置とカメラ装置との間での信号伝送の方式を自動で判断する判断手段を不要にし、簡易な構成によりパラレル通信とシリアル通信の切替えを可能にするテレビカメラシステムを提供することを目的とする。
【課題を解決するための手段】
【００１０】
前記目的を達成するために、請求項１に記載のテレビカメラシステムは、カメラ装置に対して本来装着不能な種類のレンズ装置をレンズサポータを介して装着すると共に、前記レンズ装置と前記カメラ装置との間でパラレル通信方式とシリアル通信方式のうちの所望の通信方式により信号伝送を行うことを可能にしたテレビカメラシステムにおいて、前記レンズサポータにおいて前記レンズ装置と前記カメラ装置との間の信号線の接続をパラレル通信用の接続とシリアル通信用の接続とでマニュアル操作により切り替える接続切替手段と、前記レンズ装置に設けられた指示手段であって、前記レンズ装置と前記カメラ装置との間での信号伝送をパラレル通信方式に固定するか、又は、シリアル通信方式に固定するかをマニュアル操作により指示する指示手段と、前記指示手段により固定すると指示された通信方式により前記レンズ装置と前記カメラ装置との間での信号伝送を実施する信号伝送手段と、を備えたことを特徴としている。
【００１１】
本発明によれば、レンズ装置とカメラ装置との間での信号伝送の方式を自動で判断する判断手段が不要となり、また、レンズ装置とカメラ装置との間での信号線の接続もマニュアル操作によりパラレル通信用の接続とシリアル通信用の接続とで切り替えられるため、簡易な構成によりパラレル通信とシリアル通信の切替えが可能となる。
【発明の効果】
【００１２】
本発明に係るテレビカメラシステムによれば、レンズ装置とカメラ装置との間での信号伝送の方式を自動で判断する判断手段が不要となり、簡易な構成によりパラレル通信とシリアル通信の切替えが可能となる。
【発明を実施するための最良の形態】
【００１３】
以下、添付図面に従って本発明に係るテレビカメラシステムを実施するための最良の形態について詳説する。
【００１４】
図１は、本発明が適用されるテレビカメラシステムの構成を示した外観側面図である。同図に示すテレビカメラシステム１０は、ＥＦＰレンズ１２、ＥＮＧカメラ１４、レンズサポータ１６を備えている。ＥＦＰレンズ１２は、主にスタジオ等で三脚に固定されて使用されるＥＦＰカメラ用のレンズ装置であり、箱型のケース内に撮影光学系（撮影レンズ）や制御回路等が搭載されている大型のレンズ装置である。
【００１５】
ＥＮＧカメラ１４は、主に取材などに携帯され、カメラマンが肩等で支持して使用するカメラ装置であり、本来は同図のＥＦＰレンズではなく、小型のレンズ装置（ＥＮＧレンズ）が装着されて使用されるカメラ装置である。
【００１６】
レンズサポータ１６は、使用態様が異なるこれらのＥＦＰレンズ１２とＥＮＧカメラ１４とを装着して使用できるようにするためのアダプタであり、例えば、三脚上に固定される。レンズサポータ１６は、水平方向の基台部１８と基台部１８に対して鉛直方向に立設された衝立部２０とを備えており、衝立部２０の前側（図中左側）にＥＦＰレンズ１２、後側（図中右側）にＥＮＧカメラ１４がそれぞれ固定されるようになっている。
【００１７】
衝立部２０には図示しない開口部が設けられている。一方、ＥＦＰレンズ１２の背面には、撮影光学系を収容するレンズ鏡胴の後端部に設けられたバヨネットマウントが突出しており、そのバヨネットマウントが衝立部２０の開口部を挿通して、衝立部２０の後側に固定されたＥＮＧカメラ１４のマウントに連結されるようになっている。これによって、ＥＮＧカメラ１４にＥＦＰレンズ１２の撮影光学系が装着されるようになっている。
【００１８】
また、ＥＦＰレンズ１２とＥＮＧカメラ１４とは、各種信号のやり取りが可能なようにレンズサポータ１６を介して電気的に接続されるようになっている。
【００１９】
図２は、ＥＦＰレンズ１２とＥＮＧカメラ１４とレンズサポータ１６の各装置間での電気コネクタの接続態様を示した図である。
【００２０】
ＥＦＰレンズ１２の背面側にはカメラ装置（通常ではＥＦＰカメラ）との間で各種信号のやり取りを行うための３６ピンのコネクタ３０が設けられており、レンズサポータ１６の衝立部２０の前面には、そのコネクタ３０に連結可能な３６ピンのレンズ側コネクタ３２が設けられている。ＥＦＰレンズ１２をレンズサポータ１６に固定すると、それらのコネクタ３０、３２も直結されようになっている。
【００２１】
ＥＮＧカメラ１４にはレンズ装置（通常ではＥＮＧレンズ）との間で各種信号のやり取りを行うための１２ピンのコネクタ３４が設けられている。レンズサポータ１６の衝立部２０の背面側からはケーブル３６が送出され、そのケーブル３６の端部にＥＮＧカメラ１４のコネクタ３４に接続される１２ピンのカメラ側コネクタ３８が設けられている。そのカメラ側コネクタ３８とＥＮＧカメラ１４のコネクタ３４とが連結されるようになっている。
【００２２】
一方、ＥＦＰレンズ１２のコネクタ３０及びレンズサポータ１６のレンズ側コネクタ３２が３６ピンであるのに対して、ＥＮＧカメラ１４のコネクタ３４及びレンズサポータ１６のカメラ側コネクタ３８が１２ピンであり、ピン数（信号線の数）が相違している。
【００２３】
そのため、ＥＮＧカメラ１４がパラレル通信を行う場合におけるコネクタ３４の各ピンの信号線の種類（各ピンから入出力される信号の種類）に適合するように、レンズサポータ１６内において、レンズ側コネクタ３２の３６ピンのうちからＥＮＧカメラ１４で必要な種類の信号線のピンのみをカメラ側コネクタ３８の対応する各ピンに接続するようにしている。
【００２４】
また、ＥＦＰレンズ１２とＥＮＧカメラ１４との間でパラレル通信を行う場合にＥＮＧカメラ１４のコネクタ３４の所定の２本のピン（９、８番）に接続されるＥＦＰレンズ１２のコネクタ３０の２本のピン（８、１８番）は、ＥＦＰレンズ１２とＥＮＧカメラ１４との間でシリアル通信を行う場合には、ＥＮＧカメラ１４のコネクタ３４の他の２本のピン（１１、１２番）に接続する必要がある。そのため、その接続を操作者の指示によって切り替えるためのマニュアル操作されるＰ／Ｓ切替スイッチ１００がレンズサポータ１６に設けられている。
【００２５】
図３は、図２の接続態様によりＥＦＰレンズ１２とＥＮＧカメラ１４との間での信号伝送をパラレル通信又はシリアル通信により行う場合の信号線の接続状態を示した図である。同図において、レンズ側送受信部５０は、ＥＦＰレンズ１２内に搭載され、カメラ装置との間でやり取りする信号を送受信する回路部を示し、カメラ側送受信部５２は、ＥＮＧカメラ１４内に搭載され、レンズ装置との間でやり取りする信号を送受信する回路部を示している。
【００２６】
カメラ側送受信部５２の１〜１２番の各端子は、図２に示したＥＮＧカメラ１４のコネクタ３４の各ピンに接続される端子を示しており、各端子の番号は各々が接続されるコネクタ３４の各ピンの番号を示している。また、レンズ側送受信部５０の４〜６、８、１２〜１８番の各端子は、図２に示したＥＦＰレンズ１２のコネクタ３０の各ピンに接続される端子を示しており、各端子の番号は各々が接続されるコネクタ３０の各ピンの番号を示している。レンズ側送受信部５０において、コネクタ３０の他の番号のピンに接続される端子については詳細な図を省略して示している。
【００２７】
図２のようにＥＦＰレンズ１２とＥＮＧカメラ１４とをレンズサポータ１６を介して接続した場合、図３のようにレンズ側送受信部５０の各端子とカメラ側送受信部５２の各端子が信号線により接続される。同図において、スイッチ１００Ａは、図１、２に示したレンズサポータ１６のＰ／Ｓ切替スイッチ１００によって接続状態が切り替えられるスイッチ回路を示している。Ｐ／Ｓ切替スイッチ１００は、パラレル通信とシリアル通信の２状態を選択することができるようになっており、操作者がＰ／Ｓ切替スイッチ１００をパラレル通信に設定した場合、これに連動して、スイッチ１００Ａが同図のような接続状態に設定される。即ち、レンズ側送受信部５０の８、１８番に接続されたスイッチ１００Ａの端子８、１８と、カメラ側送受信部５２の９、８番の端子に接続されたスイッチ１００Ａの端子９、８とが接続された状態となる。
【００２８】
従って、Ｐ／Ｓ切替スイッチ１００をパラレル通信に設定した場合、図３のようにレンズ側送受信部５０の４〜６、８、１２〜１８番の各端子が、カメラ側送受信部５２の１〜３、５〜１１番の端子に信号線１〜３、５〜１１により接続される。
【００２９】
カメラ側送受信部５２の１〜３、５〜１１番の端子は、パラレル通信で使用される信号線の端子であり、ＥＦＰレンズ１２においてパラレル通信を行う場合に、これらの信号線の種類に一致するレンズ側送受信部５０の４〜６、８、１２〜１８番の端子が、各信号線１〜３、５〜１１を通じて接続される。これによって、ＥＦＰレンズ１２とＥＮＧカメラ１４との間でパラレル通信による信号伝送が可能となる。尚、ＥＦＰレンズ１２のコネクタ３０の４〜６、８、１２〜１８番ピン以外のピンに接続されるレンズ側送受信部５０の他の信号線の端子は、同図では省略しているが、カメラ側送受信部５２に接続されず開放の状態となる。
【００３０】
一方、操作者がＰ／Ｓ切替スイッチ１００をシリアル通信に設定した場合、これに連動して、カメラ側送受信部５２の１１番の端子に接続されたスイッチ１００Ａの端子１１にスイッチ１００Ａの端子８が接続され、カメラ側送受信部５２の１２番の端子に接続されたスイッチ１００Ａの端子１１にスイッチ１００Ａの端子１８が接続された状態となる。
【００３１】
レンズ側送受信部５０の８、１８番の端子は、パラレル通信とシリアル通信に併用される端子であり、カメラ側送受信部５２の１１、１２番の端子はシリアル通信に使用される端子である。従って、Ｐ／Ｓ切替スイッチ１００をシリアル通信に設定することによって、ＥＦＰレンズ１２とＥＮＧカメラ１４との間でシリアル通信による信号伝送が可能となる。
【００３２】
図１、２に示すようにＥＦＰレンズ１２には、ＥＮＧカメラ１４との間での信号伝送をパラレル通信により行うか（パラレル通信方式に固定するか）、シリアル通信により行うか（シリアル通信方式に固定するか）を操作者がマニュアル操作で設定するＰ／Ｓ切替スイッチ１０２が設けられており、レンズ側送受信部５０では、そのＰ／Ｓ切替スイッチ１０２の設定状態に従って、カメラ側送受信部５２とパラレル通信を行うかシリアル通信を行うかを決定し、決定した方式により信号伝送を開始する。
【００３３】
従って、操作者は、ＥＦＰレンズ１２とＥＮＧカメラ１４との間での信号伝送の方式をパラレル通信としたい場合には、レンズサポータ１６のＰ／Ｓ切替スイッチ１００をパラレル通信に設定すると共に、ＥＦＰレンズ１２のＰ／Ｓ切替スイッチ１０２をパラレル通信に設定すれば、ＥＦＰレンズ１２とＥＮＧカメラ１４との間でパラレル通信による信号伝送が行われるようになる。
【００３４】
一方、ＥＦＰレンズ１２とＥＮＧカメラ１４との間での信号伝送の方式をシリアル通信としたい場合には、レンズサポータ１６のＰ／Ｓ切替スイッチ１００をシリアル通信に設定すると共に、ＥＦＰレンズ１２のＰ／Ｓ切替スイッチ１０２をシリアル通信に設定すれば、ＥＦＰレンズ１２とＥＮＧカメラ１４との間でシリアル通信による信号伝送が行われるようになる。
【００３５】
尚、ＥＮＧカメラ１４ではＥＦＰレンズ１２における通信方式に適合するように通信方式が選択され、ＥＦＰレンズ１２がパラレル通信を開始するとＥＮＧカメラ１４でもパラレル通信が開始され、ＥＦＰレンズ１２がシリアル通信を開始するとＥＮＧカメラ１４でもシリアル通信が開始される。
【００３６】
このような本実施の形態のテビカメラシステムによれば、ＥＦＰレンズ１２とＥＮＧカメラ１４との間での通信方式の切替えが簡易な構成により実現できる。また、ＥＦＰレンズ１２とＥＮＧカメラ１４との間での通信方式が通信エラーによって異なる方式に自動的に切り替わるという事態が生じず、通信エラーの発生時に正常な通信状態への復帰が迅速に行われるようになる。
【００３７】
以上、上記実施の形態では、Ｐ／Ｓ切替スイッチ１００、１０２がそれぞれレンズサポータ１６とＥＦＰレンズ１２に設けられていたが、これらのスイッチは任意の場所に設けることが容易に可能である。
【００３８】
また、上記実施の形態では、Ｐ／Ｓ切替スイッチ１０２によりＥＦＰレンズ１２とＥＮＧカメラ１４との間での信号伝送の方式（通信方式）が設定されるが、ＥＦＰレンズ１２とＥＮＧカメラ１４とがそれらの間での可能な信号伝送の方式を自動で検出してその方式での信号伝送を開始する機能を有する場合には、Ｐ／Ｓ切替スイッチ１０２の代わりに、信号伝送の方式を現在の方式に強制的に固定するスイッチを設けるようにしてもよい。
【図面の簡単な説明】
【００３９】
【図１】図１は、本発明が適用されるテレビカメラシステムの構成を示した外観側面図である。
【図２】図２は、ＥＦＰレンズとＥＮＧカメラとレンズサポータの各装置間での電気コネクタの接続態様を示した図である。
【図３】図３は、図２の接続態様におけるＥＦＰレンズとＥＮＧカメラとの間での信号線の接続状態を示した図である。
【符号の説明】
【００４０】
１０…テレビカメラシステム、１２…ＥＦＰレンズ、１４…ＥＮＧカメラ、１６…レンズサポータ、３０、３４…コネクタ、３２…レンズ側コネクタ、３８…カメラ側コネクタ、５０…レンズ側送受信部、５２…カメラ側送受信部、１００、１０２…Ｐ／Ｓ切替スイッチ、１００Ａ…スイッチ
【図１】
2009089017.tif 000003
【図２】
2009089017.tif 000004
【図３】
2009089017.tif 000005